(57)【要約】  【課題】  同一防火区域内に設置される複数の消火器のうち、火災発生時に或る消火器が持ち出されると他の消火器の設置場所をもすぐに知ることができて他の消火器による消火をも迅速に実行できるようにする。  【解決手段】  それぞれに消火器１が載置された複数の消火器設置台２が設置された防火区域Ａ内において、各消火器設置台２には、当該消火器設置台２から消火器１が持ち出されたことを検知して検知信号を出力する検知手段３を備え、その検知信号に応じて当該消火器設置台２近傍に設置した警告灯４と他の消火器設置台２の近傍に設置した警告灯４とをそれぞれ点滅もしくは点灯させる。【選択図】      図２
2006081650.tif 000002
【特許請求の範囲】
【請求項１】
それぞれに消火器が載置された複数の消火器設置台が設置された防火区域内において、
各消火器設置台には、当該消火器設置台から消火器が持ち出されたことを検知して検知信号を出力する検知手段と、その検知信号に応じて点滅もしくは点灯する警告灯と、他の消火器設置台との相互間で前記検知信号を送受信するとともに、その受信により前記警告灯を点滅もしくは点灯させる手段と、を備えていることを特徴とする、複数の消火器設置台。
【請求項２】
前記警告灯の点滅もしくは点灯と共に、警報音をも発するようにしてあることを特徴とする、請求項１記載の複数の消火器設置台。
【請求項３】
それぞれに消火器が載置された複数の消火器設置台が設置された防火区域内において、各消火器設置台には、当該消火器設置台から消火器が持ち出されたことを検知して検知信号を出力する検知手段を備え、その検知信号に応じて当該消火器設置台近傍に設置した警告灯と他の消火器設置台の近傍に設置した警告灯とをそれぞれ点滅もしくは点灯させることを特徴とする、消火器の設置場所報知方法。
【請求項４】
前記警告灯の点滅もしくは点灯と共に、警報音をも発するようにしてあることを特徴とする、請求項３記載の消火器の設置場所報知方法。
【発明の詳細な説明】
【技術分野】
【０００１】
本発明は、工場やスーパーマーケット、学校などに設置され、それぞれに消火器が載置された複数の消火器設置台、および消火器の設置場所報知方法に関する。
【背景技術】
【０００２】
従来、消火器ボックスにランプ表示器や音声装置を設け、自動火災報知機のベルの周波数を感知するセンサからの信号により前記ランプ表示器や音声装置により消火器の位置を知らしめる消火器ボックスがある（例えば、特許文献１参照。）。
また、消火器を取り出すことで警報を発する消火器取出し通報装置もある（特許文献２参照）。
【０００３】
【特許文献１】特開平８−２６６６６３号公報
【特許文献２】特開平１０−２７２８６号公報
【発明の開示】
【発明が解決しようとする課題】
【０００４】
複数の消火器が所定間隔置きに設置された工場などで火災が発生した時、火災発見者は身近に設置してある消火器を使用して初期消火に当たるが、この時消火が不十分であったり、消火に失敗したりすることがある。この場合、他の消火器の設置場所が咄嗟に知ることができればその消火器をも使用して消火することができるが、その他の消火器の設置位置が不明ですぐに探し出すことができない場合が多々ある。このため、他の消火器による消火ができなかったり、間に合わなかったりして、火災の拡大を招き大火災となることがある。
しかるに、こうした問題は上記先行技術の消火器ボックスや消火器取出し通報装置などでは解決することができない。
【０００５】
そこで、本発明は、このような問題を解決する為になされたものであり、その目的とするところは、或る防火区域内に所定間隔置きに設置される複数の消火器のうち、火災発生時に或る消火器が持ち出されると他の消火器の設置場所をもすぐに知ることができて他の消火器による消火をも迅速に実行できる複数の消火器設置台および消火器の設置場所報知方法を提供することにある。
【課題を解決するための手段】
【０００６】
上記目的を達成するために、本発明の複数の消火器設置台は、それぞれに消火器が載置された複数の消火器設置台が設置された防火区域内において、各消火器設置台には、当該消火器設置台から消火器が持ち出されたことを検知して検知信号を出力する検知手段と、その検知信号に応じて点滅もしくは点灯する警告灯と、他の消火器設置台との相互間で前記検知信号を送受信するとともに、その受信により前記警告灯を点滅もしくは点灯させる手段と、を備えていることに特徴を有するものである。
【０００７】
この場合において、前記警告灯の点滅もしくは点灯と共に、警報音をも発するようにすることができる。
【０００８】
上記目的を達成するために、本発明の消火器の設置場所報知方法は、それぞれに消火器が載置された複数の消火器設置台が設置された防火区域において、各消火器設置台には、当該消火器設置台から消火器が持ち出されたことを検知して検知信号を出力する検知手段を備え、その検知信号に応じて当該消火器設置台近傍に設置した警告灯と他の消火器設置台の近傍に設置した警告灯とをそれぞれ点滅もしくは点灯させることに特徴を有するものである。この場合においても、前記警告灯の点滅もしくは点灯と共に、警報音をも発するようにすることができる。
【発明の効果】
【０００９】
上記構成の複数の消火器設置台及び消火器の設置場所報知方法によれば、同一防火区域（例えば、工場）内の複数の消火器設置台のうち、或る消火器設置台から消火器が持ち出されると、当該消火器設置台近傍の警告灯だけでなく、他の消火器設置台に近傍の警告灯も点滅もしくは点灯するため、火災発見者が最寄りの消火器を持ち出して消火に失敗したり、不十分であったりしても、他の消火器設置台近傍の警告灯が点滅もしくは点灯していることにより他の消火器の位置をすぐに知ることができ、したがって、他の消火器による消火をも可能となり、また同一防火区域内の誰もが当該防火区域内の消火器を持ち寄って一斉に消火することも可能となるため、大火災を未然に防ぐことが可能となった。
【００１０】
警告灯の点滅もしくは点灯と共に警報音をも発するようにしておくと、防火区域内に設置された他の設備等が障害となって警告灯の点滅もしくは点灯を知ることができない場合も、警報音で消火器の位置を知ることができて有利である。
【発明を実施するための最良の形態】
【００１１】
本発明の好適な実施形態を図面に基づき説明する。図１は本発明の一実施例を示す複数の消火器設置台の設置概要図、図２は或る一箇所の消火器設置台回りの構成図、図３は図２の消火器設置台に設置されるネットワーク消火器ボックスの内部ブロック図、図４は他の実施例を図２に相応して示す消火器設置台回りの構成図、図５は図４の消火器設置台の内部ブロック図である。
【００１２】
図１において、ひとつの工場など防火区域Ａ内に、それぞれに消火器１が載置される複数の消火器設置台２が所定間隔置きに設置される。ひとつの防火区域Ａ内では消火器設置台２が複数台、所定間隔置きに設置されることが必要であるが、各箇所における消火器設置台２の設置台数は図２に例示するように2台、または１台、または３台以上とすることは任意である。
各消火器設置台２およびこれの周辺機器は図２に示すとおりである。各消火器設置台２には、当該消火器設置台２から消火器１が持ち出されたことを検知して検知信号を出力する検知手段３と、その検知信号に応じて点滅もしくは点灯する警告灯４と、他の消火器設置台２との相互間で前記検知信号を送受信するとともに、その受信により前記警告灯４を点滅もしくは点灯させる手段５と、を備えている。
【００１３】
図２において、消火器設置台２には、例えば重量スイッチ（リミットスイッチ）からなる検知手段３が消火器設置台２の消火器載置面上に設けられ、検知手段３は、当該消火器設置台２から消火器１が持ち出されたことを検知する。重量スイッチからなる検知手段３  からの信号線は、消火器設置台２の側面を貫通してリード線７として取り出され、消火器設置台２の近傍に設置した無線式のネットワーク消火器ボックス８に接続される。
【００１４】
ネットワーク消火器ボックス８の内部ブロック図を図３に示すように、ネットワーク消火器ボックス８には、１００Ｖの商用交流電源９、電源ケーブル１０（図２参照）、またストロボランプからなる警告灯４、起動スイッチ１１、および他の消火器設置台２との間で送受信する手段５たる送受信機を備えた無線ユニット１２が設けられる。なお、図２、図３では消火器設置台２の近傍位置にも起動スイッチ１３が前記起動スイッチ１１と並列に増設されるが、必ずしもこの増設起動スイッチ１３は必要とするものではない。
【００１５】
いま、防火区域Ａ内において、火災が発生し、火災発見者により防火区域Ａ内の或る消火器設置台２（例えば、図３において、黒塗りした箇所に設置された箇所の消火器設置台２）の近傍のネットワーク消火器ボックス８の起動スイッチ１１又は増設起動スイッチ１３が押されるか、または当該消火器設置台２から消火器１が持ち出され検知手段３の重量スイッチが閉じられてその消火器１の持ち出しを検知して検知信号を出力すると、当該消火器設置台２近傍に設置した警告灯４が点滅もしくは点灯する。同時に、前記検知手段３の出力する検知信号に応じて送受信手段５たる無線ユニット１２の送信機が電波を１００〜１５０ｍ程度の範囲で放射し、この電波を１００〜１５０ｍ範囲内にある他の消火器設置台２（例えば、図３において、ハッチングを入れた箇所の消火器設置台２）の近傍に設置した無線ユニット１２の受信機が受信しこの受信信号に基づき当該他の消火器設置台２近傍の警告灯４を点滅もしくは点灯させる。
【００１６】
このように、防火区域Ａ内の複数の消火器設置台２のうち、或る消火器設置台２から消火器１が持ち出されると、当該消火器設置台２近傍の警告灯４だけでなく、他の消火器設置台２に近傍の警告灯４をも点滅もしくは点灯するため、火災発見者が最寄りの消火器１を持ち出して消火に失敗しても、他の消火器設置台２近傍の警告灯４が点滅もしくは点灯していることにより他の消火器１の位置をすぐに知ることができる。したがって、他の消火器１による消火をも可能となり、また同一防火区域Ａ内の誰もが当該防火区域Ａ内の消火器１を持ち寄り、一斉に消火することも可能となるため、大火災を未然に防ぐことができる。
【００１７】
図４、図５は他の実施例を示している。この実施例では、上記実施例のようにネットワーク消火器ボックス８を消火器設置台２の近傍に設置するに代えて、消火器設置台２に、図５のように重量スイッチからなる検知手段３のほかに、１００Ｖの商用交流電源９、電源ケーブル１０（図４参照）、ストロボランプからなる警告灯４、および他の消火器設置台２との間で送受信する手段５たる送受信機を備えた無線ユニット１２をも設けてある以外は、上記実施例のものと同様である。
【００１８】
上記各実施例では、検知手段３の出力する検知信号を他の消火器設置台２との間で送受信する手段５として無線ユニット１２による無線通信を採用するが、これに代えて有線通信方式で行うこともできる。
【００１９】
検知手段３としては、重量スイッチ（リミットスイッチ）以外に、消火器設置台２からの持ち出しを検知できる他のセンサ、例えば、光センサ、近接センサ、歪みセンサ等を用いることもできる。また、警告灯４を点滅もしくは点灯させると共に、ベル、音声アラームなどで警報音をも発するようにすることができる。電源９としては、１００Ｖの商用交流電源以外に、蓄電池、自家発電機、光充電式電池などであってもよい。なお、検知手段３の出力する検知信号は自動火災報知機（図示せず）にも発信するようにすることもできる。
【図面の簡単な説明】
【００２０】
【図１】本発明の一実施例を示す複数の消火器設置台の設置概要図である。
【図２】或る一個所の消火器設置台回りの構成図である。
【図３】図２の消火器設置台に設置されるネットワーク消火器ボックスの内部ブロック図である。
【図４】他の実施例を図２に相応して示す消火器設置台回りの構成図である。
【図５】図４の消火器設置台の内部ブロック図である。
【符号の説明】
【００２１】
Ａ  防火区域
１  消火器
２  消火器設置台
３  検知手段
４  警告灯
５  送受信手段
１２  無線ユニット
【図１】
2006081650.tif 000003
【図２】
2006081650.tif 000004
【図３】
2006081650.tif 000005
【図４】
2006081650.tif 000006
【図５】
2006081650.tif 000007